(57)【要約】【課題】テープの繰り出し端部にリーダーピンがクランプ部材を介して接続されている単リール型のテープカートリッジにおいて、リーダーピンからのクランプ部材の離脱防止を図る。【解決手段】クランプ部材９は、縦割り溝１５を有する縦長の円筒形状に成形されており、縦割り溝１５を利用してリーダーピン７の外周に外嵌装着される。クランプ部材９の上下端部１６・１６は、中央部分１７よりも径大の厚肉に形成し、上下端部１６・１６の剛性アップを図る。【選択図】図４
2005108378.tif 000002
【特許請求の範囲】
【請求項１】
本体ケースと、前記本体ケースに内蔵される一つのリールと、前記リールに巻かれるテープと、前記テープの繰り出し端部に接続されるリーダーピンと、縦割り溝を有する縦長の円筒形状にプラスチック成形されて、前記リーダーピンの外周にこれの横外側方から外嵌装着される弾性変形可能なクランプ部材と、前記本体ケースに設けたテープ引き出し用の開口部と、前記開口部にリーダーピンを待機姿勢に保持する手段とを含み、
前記クランプ部材の上下の少なくとも一端部が、外周面を他の部分よりも径方向外側に張り出し形成することによって厚肉に設定されていることを特徴とするテープカートリッジ。
【請求項２】
前記リーダーピンが、丸軸の上下端に設けた係合軸部と、前記丸軸の中間の上下に設けた円形のフランジとを含み、
前記丸軸における上下の前記フランジ間の中間軸部に、前記テープの繰り出し端部が巻き付けられており、
前記中間軸部に前記クランプ部材が外嵌装着されており、
前記クランプ部材を装着した状態において、前記厚肉端部の円形外周面の外径寸法が、前記フランジの外径寸法と実質的に同一に設定されている請求項１記載のテープカートリッジ。
【発明の詳細な説明】
【技術分野】
【０００１】
本発明は、図示するごとく本体ケース１にテープ３が巻かれる一つのリール２を内蔵し、テープ３の繰り出し端部３ａにリーダーピン７を接続し、本体ケース１に設けた開口部５にリーダーピン７を待機姿勢に保持する手段を備えた単リール型のテープカートリッジに関し、リーダーピン７の外周にこれの横外側方から外嵌装着されるクランプ部材９に改良を加えたものである。
【背景技術】
【０００２】
この種のテープカートリッジは、コンピュータデータのバックアップ用に供されており、テープドライブに装填したとき、テープドライブ側の部材でリーダーピン７を捕捉してテープ３を本体ケース１外へ引き出し操作する形態になっている。
【０００３】
リーダーピン７に対するテープ端部３ａの接続構造に関して、従来例に特許文献１や特許文献２がある。そこでは、リーダーピン７の外周面にテープ３の繰り出し端部３ａを巻き付けたうえで、リーダーピン７の外周にテープ３の巻き付け端部をはさんでプラスチック製のクランプ部材９を外嵌装着している。そのクランプ部材９は、弾性変形させてリーダーピン７に外嵌装着するための縦割り溝１５を有する縦長円筒状に形成されている。
【０００４】
【特許文献１】特開２０００−３２２８６８号公報（図３の符号８５）
【特許文献２】特開平１１−１８５４３５号公報（図４の符号１６）
【発明の開示】
【発明が解決しようとする課題】
【０００５】
この種のクランプ部材９は、縦割り溝１５をこれが拡がるように弾性変形させてリーダーピン７に外嵌装着することにより、テープ端部３ａを巻き付け状態に保持する。したがってクランプ部材９は、落下衝撃等の大きな外力を受けると、縦割り溝１５が上下の一端側から開離する方向に弾性変形し、リーダーピン７がクランプ部材９から離脱することがある。とくにクランプ部材９の上端部と下端部とに不均一な外力が強く加わると、リーダーピン７が縦割り溝１５の一端部にくさびのごとく割り込み、リーダーピン７からクランプ部材９の全体が離脱する危険を伴う。
【０００６】
かと言って、クランプ部材９の筒壁の厚み寸法を上下間にわたって大きく設定すると、今度はリーダーピン７に対する装着が困難になる不利を招く。
【０００７】
そこで本発明の目的は、クランプ部材に対するリーダーピンの装着作業性を良好に確保しながらも、リーダーピンからクランプ部材が不用意に離脱するのを規制し、以てリーダーピンにテープ端部を確実に抜け止め接続しておけるテープカートリッジを提供することにある。
【課題を解決するための手段】
【０００８】
そのために本発明は、先の単リール型テープカートリッジにおいて、図１に示すごとく前記クランプ部材９の上下の両端部１６・１６もしくは少なくとも一端部１６が、外周面を他の部分よりも径方向外側に張り出し形成することによって厚肉に設定されていることを特徴とする。
【０００９】
具体的には、リーダーピン７が、丸軸の上下端に設けた係合軸部１０と、丸軸の中間の上下に設けた円形のフランジ１１・１１とを含み、前記丸軸における上下フランジ１１・１１間の中間軸部１２に、前記テープ３の繰り出し端部３ａが巻き付けられており、前記中間軸部１２にクランプ部材９が外嵌装着されており、クランプ部材９を装着した状態において、これの前記厚肉端部１６の円形外周面の外径寸法が、前記フランジ１１の外径寸法と実質的に同一に設定されている。
【００１０】
クランプ部材９の材質としては、剛性、強度、弾性復元力および耐疲労特性に優れ、成形性（生産性）のよいポリアセタール（ＰＯＭ）が安価に量産できる点からも好適である。クランプ部材９は、ポリアセタールに代えて、強靭で耐衝撃性に優れ成形性（生産性）のよいポリカーボネート（ＰＣ）これ単独、もしくはポリカーボネートを含む複合プラスチック材で成形してもよい。
【００１１】
クランプ部材９の内径寸法はリーダーピン７の中間軸部１２の外径寸法よりも当然に大きく設定してあり、この中間軸部１２にクランプ部材９を装着した状態において、クランプ部材９はこれ自体の弾性復元力でリーダーピン７にテープ端部３ａを巻き付けた状態に挟持する。
【００１２】
リーダーピン７は上下端の係合軸部１０・１０を介して本体ケース１の開口部５に縦向きの待機姿勢で保持される。リーダーピン７の丸軸における係合軸部１０・１０とフランジ１１・１１との間は、操作軸部１３・１３になっており、テープドライブ側のテープ引き出し部材はこの操作軸部１３・１３をつかんでテープ３を本体ケース１外に引き出し操作する。
【発明の効果】
【００１３】
本発明のクランプ部材９は、上下方向の両端部１６・１６もしくは少なくとも一端部１６を限って他の部分よりも厚肉に形成する形態であるから、クランプ部材９の筒壁の厚み寸法を上下方向の全長にわたって大きくした形態に比べて、クランプ部材９が縦割り溝１５を介して弾性変形しやすい余地を残している。したがって、リーダーピン７に対しクランプ部材９は容易に外嵌装着できる。クランプ部材９を成形するための高価なプラスチック材料も、全体を厚肉化するのに比べて少なくて済み、安価に量産するのに適っている。
【００１４】
その一方で、リーダーピン７にクランプ部材９を外嵌装着した状態において、外力を受けたときクラプ部材９は、縦割り溝１５の上下の一端側から開離しようとする。しかるに、クランプ部材９の上下方向の端部１６は厚肉に形成されて剛性がアップしているので、縦割り溝１５が端側から開離するのを規制する。したがって、落下衝撃などを受けても、リーダーピン７からクランプ部材９が離脱したり、離脱しかかったりする状態を確実に防止できる。クランプ部材９の上下の一端部１６のみが厚肉に形成されていても、クランプ部材９の離脱は半減できることになる。
【００１５】
リーダーピン７の中間軸部１２にクランプ部材９を外嵌装着した状態において、クランプ部材９の厚肉端部１６の円形外周面の外径寸法が、リーダーピン７の円形フランジ１１の外径寸法と実質的に同一に設定されていると、前記厚肉端部１６の外周面が円形フランジ１１の径方向外側にまで突出することがない。したがって、テープドライブ側においてリーダーピン７を捕捉したり、引き出す経路においても、厚肉端部１６が邪魔にならず、円滑な作動が保証されている。
【発明を実施するための最良の形態】
【００１６】
（実施例１）  図１ないし図５は本発明に係る単リール型テープカートリッジの実施例１を示す。図２において、符号１は上下ケース１ａ・１ｂを蓋合わせ状に結合してなる角箱状の本体ケース１である。この本体ケース１の内部中央には、１個のリール２が回転自在に収容されており、このリール２に磁気テープ（以下、テープと略称する）３が巻かれている。
【００１７】
本体ケース１の外周側面の一部、具体的には前側壁４の右端側に、テープ引き出し用の開口部５が形成されている。本体ケース１には、開口部５を開閉する蓋６がスライド自在に装備され、不使用時に図外のばね部材で蓋６が開口部５を閉じる姿勢に移動付勢されている。
【００１８】
本体ケース１内のテープ３をケース外へ引き出し操作するために、テープ３のリーダーテープ部分の繰り出し端部３ａが縦長のリーダーピン７にクランプ部材９を介して接続されている。
【００１９】
図１および図３においてリーダーピン７は、金属ピンからなり、丸軸の上下端に設けた係合軸部１０・１０と、丸軸の中間の上下に設けた円形のフランジ１１・１１とを含み、丸軸における上下フランジ１１・１１間の中間軸部１２に、テープ３の繰り出し端部３ａを巻き付けた状態でクランプ部材９が外嵌装着される。そして、リーダーピン７の丸軸は上下の係合軸部１０・１０とフランジ１１・１１との間が操作軸部１３・１３になっている。
【００２０】
クランプ部材９は、弾性変形可能なＰＯＭ製のプラスチック成形品であり、図４に示すごとく、上下間にわたって縦割り溝１５を有する横断面がＣ字形の縦長円筒形状に形成されている。
【００２１】
そのうえで、クランプ部材９の内周面は、上下間にわたってストレートの円形に形成されているが、クランプ部材９の上下端部１６・１６の円形外周面は、中央部分１７の円形外周面よりも径方向外側に張り出し形成されている。すなわち、クランプ部材９の上下端部１６・１６は、中央部分１７よりも径大化されて厚肉になっている。上下の各厚肉端部１６の上下長さ寸法は、クランプ部材９の全長の約１／４、中央部分１７の上下長さ寸法は、クランプ部材９の全長の約１／２にそれぞれ設定した。
【００２２】
かくして図５に示すごとくリーダーピン７の中間軸部１２の外周面にテープ３のテープ繰り出し端３ａをほぼ一巻きする状態で巻き付ける。次に、リーダーピン７の中間軸部１２の外周に、これの横外側方から縦割り溝１５を介してクランプ部材９を拡開変形させながら外嵌装着する。
【００２３】
クランプ部材９の内径寸法はリーダーピン７の中間軸部１２の外径寸法よりも僅かに小さい。したがって、クランプ部材９の弾性復元力でリーダーピン７にテープ繰り出し端部３ａが圧着状態で挟持される。この装着状態において、クランプ部材９の前記厚肉端部１６の円形外周面の外径寸法は、前記円形フランジ１１の外径寸法と実質的に同一に設定されており、厚肉端部１６の外周面が円形フランジ１１の径方向外側へ突出しないようにしてある。なお、テープ繰り出し端部３ａの巻き付け始端は、リーダーピン７の外周面からクランプ部材９の縦割り溝１５にまで食み出した状態にある。
【００２４】
不使用時に、リーダーピン７は、本体ケース１の開口部５内において直立の待機姿勢に位置決めセットされて保持される。そのために、上下ケース１ａ・１ｂの対向内壁面には、図３に示すごとくそれぞれ該ピン７の各係合軸部１０を係合捕捉するための軸受け部１９が設けられている。
【００２５】
テープドライブにテープカートリッジを装填すると、蓋６が開き操作され、テープドライブ側の捕捉具が開口部５内にあるリーダーピン７の上下の操作軸部１３を捕捉係合して、リーダーピン７を介してテープ３を本体ケース１外へ引き出す。
【００２６】
図示例のクランプ部材９では、前記中央部分１７の肉厚を0.７mm、上下の各端部１６の肉厚を0.７５mmに設定した。これによれば、クランプ部材９の全体の肉厚を0.７mmにするのに比べて、クランプ部材９の上下端部１６における剛性は計算上２３％アップする。したがって、縦割り溝１５の開離端部が上下端において不用意に拡開変形するのを確実に規制することが期待できる。よってリーダーピン７からクランプ部材９が離脱するのを確実に阻止できることになる。
【００２７】
（実施例２）  図６および図７は、本発明の実施例２を示しており、クランプ部材９の上下の一端部、図では下端部１６のみを先の肉厚に形成した。その他の構成は実施例１と同じであるから、同一部材には同一符号を付して説明を省略する。これによれば、リーダーピン７の中間軸部１２に対してクランプ部材９は、縦割り溝１５の上端側を開離させながら容易に外嵌装着できる。その一方で、リーダーピン７からのクランプ部材９の離脱は、下端の厚肉端部１６で従来例よりも半減させることができる。
【００２８】
（別実施例）  本発明では実施例１において、クランプ部材９の中央部分１７にも所定の上下幅を有する厚肉部１６を形成することができる。また、テープ３はこれが磁気テープではなく、クリーニングテープであってもよい。
【図面の簡単な説明】
【００２９】
【図１】実施例１の要部の縦断正面図
【図２】実施例１の全体の斜視図
【図３】実施例１における本体ケースの開口部まわりの正面図
【図４】実施例１におけるリーダーピンとクランプ部材とを示す斜視図
【図５】図３におけるＡ−Ａ線断面図
【図６】実施例２の要部の縦断正面図
【図７】実施例２におけるリーダーピンとクランプ部材とを示す斜視図の
【符号の説明】
【００３０】
１  本体ケース
３  テープ
３ａ  テープの繰り出し端部
５  開口部
７  リーダーピン
９  クランプ部材
１０  リーダーピンの係合軸部
１１  リーダーピンの中間軸部
１２  リーダーピンの円形フランジ
１３  リーダーピンの操作軸部
１５  クランプ部材の縦割り溝
１６  クランプ部材の厚肉端部
【図１】
2005108378.tif 000003
【図２】
2005108378.tif 000004
【図３】
2005108378.tif 000005
【図４】
2005108378.tif 000006
【図５】
2005108378.tif 000007
【図６】
2005108378.tif 000008
【図７】
2005108378.tif 000009